(57)【要約】【課題】光透過領域が変更された場合でも、ユーザーが意図とする撮影を容易に行う撮像装置を提供する。【解決手段】ＥＣ素子によって構成される絞り部材３におけるＥＣ素子の光透過率を制御することで、撮像素子１へ入射する光量を調整可能とし、Ｔ値一定モードが選択されると、ユーザーによって絞り設定部４が操作されて、セグメントによって形成される光透過領域の大きさが変更された場合には、撮像素子１の撮像面における像面照度が一定となるようにＥＣ素子の光透過率を制御する。【選択図】図１
2009105640.tif 000002
【特許請求の範囲】
【請求項１】
複数のエレクトロクロミック素子によって構成され、前記複数のエレクトロクロミック素子の光透過率がそれぞれ独立して制御されることによって光透過領域を形成し、撮像素子へ入射する光量を調整する絞り手段と、
前記複数のエレクトロクロミック素子の光透過率をそれぞれ独立して制御する光透過率制御手段と、
前記光透過領域の形状および面積の少なくともいずれかを設定する光透過領域設定手段と、を備え、
前記光透過率制御手段は、前記光透過領域設定手段によって前記光透過領域の形状および面積の少なくともいずれかに変更が加えられる際に、前記撮像素子の撮像面における像面照度が一定となるように前記複数のエレクトロクロミック素子の光透過率をそれぞれ独立して制御することを特徴とする撮像装置。
【請求項２】
前記撮像素子の撮像面における前記像面照度を設定する像面照度設定手段を備え、
前記光透過率制御手段は、前記光透過領域設定手段によって前記光透過領域の形状および面積の少なくともいずれかに変更が加えられる際に、前記撮像素子の撮像面における像面照度が、前記像面照度設定手段によって設定される前記像面照度と等しくなるように前記複数のエレクトロクロミック素子の光透過率をそれぞれ独立して制御することを特徴とする請求項１に記載の撮像装置。
【請求項３】
撮像に際してのシャッター速度を設定するシャッター速度設定手段を備え、
前記光透過率制御手段は、前記光透過領域設定手段によって前記光透過領域の形状および面積の少なくともいずれかに変更が加えられる際に、前記シャッター速度設定手段によって設定した前記シャッター速度を維持し、前記撮像素子の撮像面における像面照度が一定となるように前記複数のエレクトロクロミック素子の光透過率をそれぞれ独立して制御することを特徴とする請求項１または２に記載の撮像装置。
【請求項４】
前記光透過率制御手段は、前記光透過領域の面積が増大した場合に、前記光透過領域を形成する前記複数のエレクトロクロミック素子の光透過率を低くすることを特徴とする請求項１から３のいずれか一つに記載の撮像装置。
【請求項５】
前記光透過率制御手段は、前記光透過領域設定手段によって前記光透過領域の形状に変更が加えられた場合には、変更が加えられた前記光透過領域の形状と、変更が加えられる前の前記光透過領域の形状と、の前記撮像素子の撮像面における像面照度が一定となるように前記複数のエレクトロクロミック素子の光透過率をそれぞれ独立して制御することを特徴とする請求項１から４のいずれか一つに記載の撮像装置。
【請求項６】
前記光透過率制御手段は、前記複数のエレクトロクロミック素子の光透過率を、光軸からの距離に応じて段階的に変化させることを特徴とする請求項１から５のいずれか一つに記載の撮像装置。
【請求項７】
前記複数のエレクトロクロミック素子は、それぞれ所定の輪郭形状を有する枠状の形状であり、前記複数のエレクトロクロミック素子は、光軸を中心として入れ子状に配列することを特徴とする請求項１から６のいずれか一つに記載の撮像装置。
【請求項８】
前記複数のエレクトロクロミック素子は、グリッド状に配列することを特徴とする請求項１から６のいずれか一つに記載の撮像装置。
【発明の詳細な説明】
【技術分野】
【０００１】
本発明は撮像装置に関するものである。
【背景技術】
【０００２】
従来、撮像素子に入射する光の光量を調整するために、例えばエレクトロクロミック素子を物性素子として用いたものが、特許文献１に開示されている。特許文献１では、物性素子を同心円状の複数の領域に分割し、各領域の透過率を独立に制御することで、物性素子全体における光の透過率を制御している。
【０００３】
また、アパーチャ部材の光透過領域の形状をユーザーの好みに応じて変更可能とするものが、特許文献２に開示されている。特許文献２では、カメラのアパーチャ部材を複数のセグメントによって構成し、各セグメントにおける光透過状態と遮光状態とを切り換えることで形状を変更している。
【特許文献１】特開平６−１４８５９３号公報
【特許文献２】特開２００２−４０５１０号公報
【発明の開示】
【発明が解決しようとする課題】
【０００４】
しかし、上記の発明では、光透過領域を変更した場合には撮像素子へ入射する光量が変わる。撮像素子へ入射する光量が変わると、その変化に応じてシャッタースピードが変更される場合がある。また、撮像素子の撮像面における像面照度が変化したり、焦点が合った被写体前後のボケ方（被写界深度）が変化したりする。このように、光透過領域の変更によって撮影条件が変わってしまうと、ユーザーが意図とする条件で撮影をすることが困難となる、といった問題点がある。
【０００５】
本発明はこのような問題点を解決するために発明されたもので、光透過領域を変更した場合でも、ユーザーの意図とする条件で容易に撮影を行うことを目的とする。
【課題を解決するための手段】
【０００６】
本発明は、複数のエレクトロクロミック素子によって構成され、複数のエレクトロクロミック素子の光透過率がそれぞれ独立して制御されることによって光透過領域を形成し、撮像素子へ入射する光量を調整する絞り手段と、複数のエレクトロクロミック素子の光透過率をそれぞれ独立して制御する光透過率制御手段と、光透過領域の形状および面積の少なくともいずれかを設定する光透過領域設定手段と、を備え、光透過率制御手段は、光透過領域設定手段によって光透過領域の形状および面積の少なくともいずれかに変更が加えられる際に、撮像素子の撮像面における像面照度が一定となるように複数のエレクトロクロミック素子の光透過率をそれぞれ独立して制御する。
【発明の効果】
【０００７】
本発明では、撮像素子の撮像面における像面照度が一定となるように、光透過領域を形成する複数のエレクトロクロミック素子の光透過率をそれぞれ独立して制御している。よって、本発明によれば、ユーザー自身が意図とする条件で容易に撮影を行うことができる。
【発明を実施するための最良の形態】
【０００８】
第１実施形態のデジタルスチルカメラについて図１を用いて説明する。図１はこの実施形態のデジタルスチルカメラの概略図である。以下の説明において、Ｔ値とは撮影レンズ全体の透過率を考慮した実効絞り値であり、例えば設定Ｆ値が４．０で、撮影レンズ全体としての透過率が５０％である場合にはＴ値は５．６となる。
【０００９】
この実施形態のデジタルスチルカメラは、撮像素子１と、レンズ２ａ、２ｂと、絞り部材（絞り手段）３と、絞り設定部（光透過領域変更手段）４と、撮影モード設定部５と、シャッター６と、シャッタースピード設定部（シャッター速度設定手段）７と、Ｔ値設定部（像面照度設定手段）８と、コントローラ（光透過率制御手段）１０と、を備える。
【００１０】
撮像素子１は被写体の像が結像される位置に配置されている。撮像素子１は、例えばＣＣＤイメージセンサやＣＭＯＳイメージセンサである。レンズ２ａ、２ｂは、被写体の像を撮像素子１の撮像面に結像させる。絞り部材３は絞り手段であって、撮像素子１の撮像面へ入射する光量を調整する。絞り設定部４は光透過領域変更手段であって、ユーザーの操作によって絞り部材３における光透過領域を変更する。撮影モード設定部５は、ユーザーの操作によってデジタルスチルカメラの撮影モードを設定する。シャッター６は、レリーズボタンの操作に応じて開閉動作し、撮像素子１の撮像面への露光動作を行う。シャッタースピード設定部７はシャッター速度設定手段であって、ユーザーの操作によってシャッター６の露光時間を設定する。Ｔ値設定部８は像面照度設定手段であって、ユーザーの操作によってＴ値を設定する。コントローラ１０は光透過率制御手段であって、絞り部材３、シャッター６の動作を制御する。
【００１１】
レンズ２ａ、２ｂを通った被写体からの光は、撮像素子１の撮像面に集光し、被写体の像を形成する。撮像面に形成された像は、電気信号に変換されて、種々の処理がされて画像データが作成される。作成された画像データはメモリなどに保存される。
【００１２】
絞り部材３は、図２に示すように複数のセグメント１１ａ〜１１ｆから形成される。セグメント１１ａ〜１１ｆの各々が、エレクトロクロミック素子（以下、ＥＣ素子とする）で構成されている。各々のＥＣ素子は、独立して制御されるようになっている。絞り部材３は、撮像素子１よりも被写体側に設けられる。なお、図２においては、６つのセグメント１１ａ〜１１ｆを示すが、絞り部材３はこれより多い、または少ないセグメントによって形成されてもよい。
【００１３】
ＥＣ素子は、電気化学的な酸化還元反応によって着色、消色する素子である。ＥＣ素子では、印加される電圧に基づいて着色濃度、つまり光透過率が変化する。すなわち、ＥＣ素子に印加される電圧を制御することで、ＥＣ素子における光透過率を制御することができる。
【００１４】
セグメント１１ａ〜１１ｆは光軸１２を中心として同心円状（入れ子状）に設けられる。セグメント１１ａ〜１１ｆにおける光透過率は、それぞれ独立して制御される。この制御は、予め設定された撮影条件に基づいて、またはユーザーによる絞り設定部４の操作に基づいて行なわれる。セグメント１１ａ〜１１ｆでは、各ＥＣ素子の着色濃度を濃くするにつれて、光透過率が低くなる。そして、ＥＣ素子の色が黒色となる（着色濃度が最大になる）と、そのセグメントは光を完全に遮断（遮光）する光遮断領域となる。以下において、光を完全に遮断する領域を光遮断領域とし、それ以外の光を通す領域を光透過領域とする。
【００１５】
絞り部材３では、図３に示すように、セグメント１１ａ〜１１ｆの光透過率を制御して光透過領域の大きさを変更することで、撮像素子１の撮像面へ入射する光量を変更することができる。図３では、光透過領域の大きさが絞り径に対応する。図３（ａ）は絞り径を小さく設定した（光透過領域が小さい）場合の絞り部材３の状態例を示し、図３（ｂ）は絞り径を大きく設定した（光透過領域が大きい）場合の絞り部材３の状態例を示す。図３において、セグメントの各符号は省略し、光遮断領域のセグメントの境界線を白抜きの線で示す。以下の各図においても同様とする。
【００１６】
絞り設定部４は、ユーザーの操作に応じて絞り部材３によって形成される光透過領域の大きさ、つまり絞り径を変更する。
【００１７】
撮影モード設定部５は、ユーザーの操作に応じて撮影モードを変更する。撮影モード設定部５は、撮影モードとして、Ｔ値一定モード、絞り優先モード、シャッタースピード優先モード、およびシーンプログラムモードなどを備える。Ｔ値一定モードとは、設定されたＴ値を維持して撮影を行なうモードである。Ｔ値一定モードでは、ユーザーによって、Ｔ値が設定されると共に、シャッタースピードが設定される。その後、例えば、光透過領域が変更されたとする。この場合、絞り径が変更されたことになる。ここで、Ｔ値一定モードでは、絞り径の大きさにかかわらず、Ｔ値が設定された値を維持するようになっている。そのため、セグメント１１ａ〜１１ｆの光透過率を制御して、設定されたＴ値を維持する。また、Ｔ値が一定になっているので、シャッタースピードも変わることがない。つまり、Ｔ値一定モードとは、撮影素子１の撮像面における像面照度が設定された値となるように、セグメント１１ａ〜１１ｆの光透過率を制御して撮影を行うモードである。
【００１８】
シャッタースピード設定部７は、ユーザーによって撮影モードがシャッタースピード優先モード、またはＴ値一定モードに選択された場合に、ユーザーの操作によってシャッタースピードを設定する。
【００１９】
Ｔ値設定部８は、ユーザーによって撮影モードがＴ値一定モードに選択された場合に、ユーザーの操作によってＴ値を設定する。
【００２０】
コントローラ１０は、絞り部材３のセグメント１１ａ〜１１ｆ（各ＥＣ素子）に印加される電圧を制御して、絞り部材３における光透過量を制御する。光透過量の制御は、絞り径と光透過率とを制御（調節）することで行なわれる。また、シャッター６を制御し、撮像素子１によって撮影を行う。
【００２１】
Ｔ値一定モードが選択された場合の作用について以下説明する。Ｔ値一定モードの選択は、ユーザーによって撮影モード設定部５が操作されることで行なわれる。
【００２２】
撮影モード設定部５がユーザーによって操作されることで、Ｔ値一定モードが設定（選択）される。Ｔ値一定モードが設定されると、ユーザーによってＴ値設定部８とシャッタースピード設定部７とが操作され、Ｔ値とシャッタースピードとが設定される。設定されたＴ値とシャッタースピードは、コントローラ１０（あるいは所定の記憶部）に記憶される。その後、ユーザーによって絞り設定部４が操作されると、絞りの開口径が変化する。
【００２３】
図４は、絞り径が大きくなった場合の絞り部材３の状態を示した図であり、図４（ａ）は絞り設定部４が操作される前の絞り部材３の状態を示し、図４（ｂ）は絞り設定部４が操作され、絞り径を大きくした場合の絞り部材３の状態を示す。図４（ａ）に示す状態では、外側から３つ目までのセグメント１１ｄ〜１１ｆが光遮断領域となっている。この状態から絞り径を大きくすると、図４（ｂ）に示す状態、すなわち、外側から２つ目までのセグメント１１ｅ〜１１ｆが光遮断領域になる。このままだと、セグメント１１ｄが光遮断領域から光透過領域になった分、絞り部材３を通過する光量が増えることになる。そこで、絞り径が大きくなった場合には、図４（ｂ）に示すように、セグメント１１ａ〜１１ｄのＥＣ素子を着色して、光透過領域の光透過率を低くする。このように、セグメントあたりの光透過量を少なくすることで、設定したＴ値と、絞り径を大きくした場合のＴ値と、が同じ値となるようにできる。
【００２４】
Ｔ値一定モードによって撮影を行うと、絞り径が大きくなった場合でも、Ｔ値は設定された値に維持され、絞り部材３の光透過領域を通る光量は一定となる。このようにすると、撮像素子１の撮像面に入射する光量を維持した状態で、被写界深度を浅くすることができる。つまり、撮像素子１の撮像面における像面照度を一定として撮影を行い、焦点が合った被写体の前後にボケを作ることができる。
【００２５】
また、絞り径が大きく設定された状態でフラッシュ撮影を行うと、近接する被写体を撮影した場合にフラッシュの光量を絞り切れずに露出オーバーとなる。露出オーバーの場合、被写体が全体的に白く撮影される。このような場合、Ｔ値一定モードによって撮影を行うと、被写体が全体的に白く撮影されることを防止し、さらに焦点があった被写体の前後をぼかすことができる。
【００２６】
また、絞り径が小さくなった場合には、径方向外側におけるセグメントの光透過率を高くして、Ｔ値を一定として撮影することができる。
【００２７】
この実施形態では、絞り部材３を撮像素子１に入射する光量を調整するためにのみ用いたが、絞り部材３をシャッターとして用いても良い。
【００２８】
なお、絞り部材３のセグメントは同心円状に配置することに限られず、例えば四角形や他の多角形、楕円形状、角丸四角形および中抜きの同形状を、光軸を中心として光軸に近い位置から外側へ順次配置してもよい。
【００２９】
第１実施形態の効果について説明する。
【００３０】
この実施形態では、絞り部材３をＥＣ素子で構成し、撮影モードとしてＴ値一定モードを備える。ユーザーによってＴ値一定モードが設定されると、Ｔ値とシャッタースピードとが設定可能になる。これらの設定が終わると、Ｔ値が設定された値となるようにセグメント１１ａ〜１１ｆの光透過率が制御される。その後、ユーザーによる撮影が可能になる。そして、例えば、ユーザーの操作により光透過領域（絞り径）が大きくなった場合には、Ｔ値が設定された値となるように光透過領域のセグメントの光透過率を低くする。これによって、Ｔ値は設定した値に維持される。また、撮像素子１の撮像面に入射する光量が一定となるので、シャッタースピードを設定した値に維持できる。これにより、絞りを変化させる前に比べて、焦点が合った被写体の前後にボケを作って撮影を行うことができる。つまり、像面照度を一定に保ち、焦点の合った被写体の前後に所望するボケを容易に作ることができる。
【００３１】
次に第２実施形態について説明する。
【００３２】
この実施形態のデジタルスチルカメラにおいては、撮影モード設定部５は、撮影モードとして絞りグラデーションモードを備える。絞りグラデーションモードとは、径方向の透過率が段階的に変化した絞り部材３を使って撮影を行うモードである。なお、透過率が段階的に変化した状態をグラデーションと称する。絞りグラデーションモードにおいても、ユーザーによってＴ値が設定されてシャッタースピードが設定される。この設定が行なわれると、絞りグラデーションモードでは、絞り部材３において、光軸１２側のセグメントの光透過率が高く、光軸１２から径方向外側となるにつれて、セグメントの光透過率を段階的に低くなるように、各セグメントが制御される。同時に、Ｔ値が設定された値となるように、各セグメントが制御される。
【００３３】
絞りグラデーションモードが選択された場合の作用について以下説明する。絞りグラデーションモードの選択は、ユーザーによって撮影モード設定部５が操作されることで行なわれる。
【００３４】
撮影モード設定部５がユーザーによって操作されることで、絞りグラデーションモードが設定（選択）される。絞りグラデーションモードが設定されると、ユーザーによってＴ値設定部８とシャッタースピード設定部７とが操作されて、Ｔ値とシャッタースピードとが設定される。設定されたＴ値とシャッタースピードは、コントローラ１０（あるいは所定の記憶部）に記憶される。その後、ユーザーによって絞り設定部４が操作されると、絞りの開口部におけるグラデーションが変化する。
【００３５】
図５はグラデーションを付けた場合の絞り部材３の状態を示した図であり、図５（ａ）はグラデーションを付ける前の絞り部材３の状態を示し、図５（ｂ）はグラデーションを付けた場合の絞り部材３の状態を示す。
【００３６】
図５（ａ）に示す状態では、外側から３つ目までのセグメント１１ｄ〜１１ｆが光遮断領域となっている。この状態から絞り径を大きくすると、図５（ｂ）に示す状態、すなわち、最も外側のセグメント１１ｆが光遮断領域になる。このままだと、セグメント１１ｄ及び１１ｅが光遮断領域から光透過領域になった分、絞り部材３を通過する光量が増えることになる。そこで、絞り径が大きくなった場合には、図５（ｂ）に示すように、セグメント１１ｃ〜１１ｅの光透過率を制御する。すなわち、これまで光透過領域だったセグメント１１ｃの着色濃度を濃く（大きく）する一方、セグメント１１ｄ及び１１ｅの着色濃度を薄く（小さく）する。その結果、絞り部材３の絞り径を大きくした分だけ、光軸１２側のセグメントの光透過率が高く、光軸１２から径方向外側となるにつれてセグメントの光透過率を段階的に低くなったグラデーションとなる。更に、セグメント１１ｃの着色濃度を濃く（大きく）しているので、設定したＴ値とグラデーションを付けた場合のＴ値と、が同じ値となるようになる。
【００３７】
このように、本実施形態では、絞り部材３の絞り径が変更された場合には、絞り径に応じてＴ値が一定となるように、セグメント１１ａ〜１１ｆの光透過率を制御して、絞り部材３にグラデーションを付ける。
【００３８】
絞りグラデーションモードによって撮影を行うと、輪郭が柔らかいボケ、つまりボケ像の輪郭が段階的に薄くなるボケを得ることができる。
【００３９】
なお、この実施形態では、光軸１２側のセグメントの光透過率を高くし、光軸１２から径方向外側となるにつれてセグメントの光透過率を段階的に低くした。しかしながら、これとは逆に、光軸１２側のセグメントの光透過率を低くし、光軸１２から径方向外側となるにつれてセグメントの光透過率を段階的に高くして、グラデーションを付けてもよい。      
【００４０】
なお、絞り設定部４には、複数のグラデーションパターンが登録してある。よって、ユーザーは好みのパターンを選択すれば良い。選択したパターンに基づいて、セグメント１１ａ〜１１ｆの光透過率が制御される。
【００４１】
本発明の第２実施形態の効果について説明する。
【００４２】
この実施形態では、撮影モードとして、絞りグラデーションモードを有する。ユーザーによって絞りグラデーションモードが設定されると、Ｔ値とシャッタースピードとが設定可能になる。これらの設定が終わると、Ｔ値が設定された値となるようにセグメント１１ａ〜１１ｆの光透過率が制御される。具体的には、Ｔ値が設定された値となるように、光軸１２側のセグメントの光透過率を高くし、光軸１２から径方向外側となるセグメントの光透過率を低くする。これによって、絞りを変化させる前に比べて、ボケの輪郭が柔らかいボケを得ることができる。
【００４３】
次に第３実施形態について説明する。
【００４４】
この実施形態のデジタルスチルカメラの構成について、図６を用いて説明する。この実施形態では、さらに絞り形状変更部（光透過領域設定手段）１５を備える。また、絞り部材１６を図７に例示すようにグリッド状のセグメントによって形成する。図７において、絞り部材１６の外径を円形としたがこれに限られることはなく、また絞り部材１６はより多くのセグメントによって形成されてもよい。その他の構成は第１実施形態と同じ構成なので、ここで説明は省略する。
【００４５】
絞り形状変更部１５は、ユーザーの操作に応じてセグメントの光透過率を制御する。この制御により、絞り部材１６の光透過領域の形状、つまり絞り形状を変更することができる。絞り形状としては、円形形状の他に、例えば図８に示すような、星形（図８（ａ））、ハート形（図８（ｂ））、リング形（図８（ｃ））がある。なお、図８においてはセグメントの図示を省略する。絞り部材１６をより多くのセグメントによって形成することで、図８に示すような絞り形状を、精度良く実現することができる。絞り形状変更部１５によって、絞り形状が変更されると、ボケの輪郭が変更された絞り形状に応じて変化する。例えば、絞り形状として星形がユーザーにより選択されると、ボケの形状が星形となる。なお、絞り形状が変更された場合には、絞り形状の変更前後でＴ値が一定となるように、セグメントの光透過率を制御する。
【００４６】
絞り形状の変更とＴ値一定モードが選択された場合の作用について以下説明する。絞り形状の変更は、ユーザーによって絞り形状変更部１５が操作されることで行なわれる。その操作によって、絞り形状として円形以外の形状が選択される。また、Ｔ値一定モードの選択は、ユーザーによって撮影モード設定部５が操作されることで行なわれる。
【００４７】
ユーザーによって、絞り形状変更部１５が操作されることで、絞り形状が選択される。また、ユーザーによって、撮影モード設定部５が操作されることで、Ｔ値一定モードが設定される。絞り形状とＴ値一定モードが設定されると、ユーザーによってＴ値設定部８とシャッタースピード設定部７とが操作されて、Ｔ値とシャッタースピードとが設定される。設定された絞り形状とＴ値とシャッタースピードは、コントローラ１０（あるいは所定の記憶部）に記憶される。そして、絞り部材１６の光透過領域の形状が、絞り形状変更部１５によって選択された形状に基づく形状になる。そして、さらにＴ値が設定された値となるように、各セグメントの光透過率が制御される。つまり、光透過領域の形状が、絞り形状変更部１５によって選択された形状に基づいて変更される。その際に、各セグメントの光透過率を制御することで、光透過領域の形状が絞り形状変更部１５によって選択された形状になり、かつ光透過領域の形状の変更前後でＴ値が一定となるように、光透過領域の形状の大きさを変更することが行なわれる。
【００４８】
その後、ユーザーによって絞り設定部４が操作された場合も、同様の処理が行われる。例えば、絞り部材１６の光透過領域が大きくなるように設定された場合には、絞り形状変更部１５によって選択された形状を維持しつつ、光透過領域の面積を拡大する。光透過領域が拡大した分、絞り部材３を通過する光量が増えることになる。そこで、光透過領域のセグメントの光透過率を低くして、光透過領域のセグメントあたりの光透過量を少なくして、設定したＴ値を維持するようにする。
【００４９】
これによって、点状光源のボケ像を所望の形状とすることができる。しかも、Ｔ値一定モードが選択されているので、絞りの形状や大きさを変えても撮像素子１の撮像面への像面照度を一定に保つことができる。
【００５０】
また、この実施形態においても、絞りグラデーションモードによって、変更される絞り形状にグラデーションを付けても良い。
【００５１】
第３実施形態の効果について説明する。
【００５２】
この実施形態では、絞り部材１６によって形成される光透過領域の形状を変更する絞り形状変更部１５を備えると共に、Ｔ値一定モードを備えている。そのため、絞り形状が変更することが可能になると共に、絞り形状の変更前後でＴ値が一定となるようにセグメントの光透過率を制御することができる。これによって、撮像素子１の撮像面における像面照度を一定として、点像のボケ形状を絞り形状変更部１５によって設定された形状とすることができる。
【００５３】
特に、撮影モードがＴ値一定モードに設定されると、光透過領域の形状を選択された絞り形状にした状態で、設定されたＴ値となるようにセグメントの光透過率を制御することができる。その結果、点像のボケ形状を絞り形状変更部１５によって設定された形状を保ち、かつ像面照度を一定に保ち、焦点の合った被写体の前後に所望するボケを容易に作ることができる。
【００５４】
本発明は上記した実施形態に限定されるものではなく、その技術的思想の範囲内でなしうるさまざまな変更、改良が含まれることは言うまでもない。
【図面の簡単な説明】
【００５５】
【図１】本発明の第１実施形態のデジタルスチルカメラを示す概略構成図である。
【図２】本発明の第１実施形態の絞り部材を示す概略構成図である。
【図３】本発明の第１実施形態の絞り部材を示す概略図であり、（ａ）絞り径を小さく設定した状態であり、（ｂ）絞り径を大きく設定した状態である。
【図４】本発明の第１実施形態におけるＴ値一定モードが選択された場合の絞り部材を示す概略図であり、（ａ）絞り径が大きくなる前の状態であり、（ｂ）絞り径が大きくなった後の状態である。
【図５】本発明の第２実施形態における絞りグラデーションモードが選択された場合の絞り部材を示す概略図であり、（ａ）グラデーションを付ける前の状態であり、（ｂ）グラデーションを付けた後の状態である。
【図６】本発明の第３実施形態のデジタルスチルカメラを示す概略構成図である。
【図７】本発明の第３実施形態の絞り部材を示す概略構成図である。
【図８】本発明の第３実施形態の絞り形状を示す図であり、（ａ）星形を示す図であり、（ｂ）ハート形を示す図であり、（ｃ）リング形を示す図である。
【符号の説明】
【００５６】
１      撮像素子
２ａ、２ｂ    レンズ
３、１６      絞り部材（絞り手段）
４      絞り設定部（光透過領域変更手段）
５      撮影モード設定部
６      シャッター
７      シャッタースピード設定部（シャッタースピード設定手段）
８      Ｔ値設定部（像面照度設定手段）
１０    コントローラ（光透過率制御手段）
１５    絞り形状変更部（光透過領域設定手段）
【図１】
2009105640.tif 000003
【図２】
2009105640.tif 000004
【図３】
2009105640.tif 000005
【図４】
2009105640.tif 000006
【図５】
2009105640.tif 000007
【図６】
2009105640.tif 000008
【図７】
2009105640.tif 000009
【図８】
2009105640.tif 000010